(57)【要約】【課題】足裏に心地よく密着して足をリラックスさせることができる風船状の足載せフォーム体を形成するための足癒し方法および足癒し用エアゾールスプレーを提供すること。【解決手段】エアゾールスプレーで成形した風船状に脹らませたフォーム体１上に、該フォーム体１の弾力下で足を密着した状態で載せ、フォーム体１を形成する樹脂被膜に含まれる噴射剤成分が揮発する際の気化潜熱により足に爽快感を付与する足癒し方法。スプレー容器１０内に主剤として前記フォーム体１を形成するための２５〜４５重量％の酢酸ビニル樹脂とジメチルエーテルからなる噴射剤とを含有させた足癒し用エアゾールスプレー。【選択図】      図１
2004223066.tif 000002
【特許請求の範囲】
【請求項１】
エアゾールスプレーで成形した風船状に脹らませたフォーム体上に、該フォーム体の弾力下で足を密着した状態で載せ、フォーム体を形成する樹脂被膜に含まれる噴射剤成分が揮発する際の気化潜熱により足に爽快感を付与することを特徴とする足癒し方法。
【請求項２】
弾力下で足を密着した状態で載せることができる風船状に脹らんだフォーム体を成形するための足癒し用エアゾールスプレーであって、スプレー容器内に主剤として前記フォーム体を形成するための２５〜４５重量％の酢酸ビニル樹脂とジメチルエーテルからなる噴射剤とを含有させたことを特徴とする足癒し用エアゾールスプレー。
【請求項３】
スプレー容器内にメントール、カンフル剤、クーリング剤等の清涼剤が添加してある請求項１〜２のいずれかに記載の足癒し用エアゾールスプレー。
【請求項４】
スプレー容器内にフォーム体を着色するための着色顔料が添加してある請求項１〜３のいずれかに記載の足癒し用エアゾールスプレー。
【請求項５】
スプレー容器内に消臭機能や水虫死滅機能を発揮する有効成分を１種または２種以上添加してある請求項１〜４のいずれかに記載の足癒し用エアゾールスプレー。
【請求項６】
スプレー容器内に温感剤が添加してある請求項１〜５のいずれかに記載の足癒し用エアゾールスプレー。
【発明の詳細な説明】
【０００１】
【発明の属する技術分野】
本発明は、足裏に心地よく密着して足をリラックスさせることができる風船状の足載せフォーム体を利用した足癒し方法、および前記足載せフォーム体を簡単に成形することができる足癒し用エアゾールスプレーに関するものである。
【０００２】
【従来の技術】
【特許文献１】特開平１１−７１２６４号公報
【特許文献２】特開２００１−２５８９２１号公報
【０００３】
従来から、スポーツした後の体のホテリを緩和する目的や打撲時の炎症を抑える目的で、対を冷やす冷却用スプレーが知られている。この冷却効果は大別するとメントールやカンフル剤等の科学的作用によるものと、噴射剤や溶剤の気化熱の物理的作用によるものとの二つに分けられる。
【０００４】
この場合、前者のものは実際の体温降下の点からみると非常に少なく、また冷却効果の持続性も短いという点が指摘されている。一方、気化熱による場合は、エアゾールスプレー特有のものであり、冷却効果が高く、例えば特許文献１や特許文献２に示されるように種々の提案がなされている。しかし、このエアゾールスプレーの場合は冷却効果の持続性が短い点、および噴射部中心部の過度の冷却により凍傷の危険性がある点が指摘されている。また、これらの冷却用スプレーは、いずれも打撲時の炎症を抑える等の目的で使用されるものである。
【０００５】
一方、最近では日常生活の中で種々のストレスが発生しており各種マッサージ等が人気を集めているが、特に足裏を刺激してストレス解消するのが効果的であると言われている。しかしながら、足裏の刺激は専門的なマッサージ師に頼むのが普通であり、家庭内で簡単かつ安価に楽しみながら足裏を刺激してストレスを解消することができる商品の開発が要望されていた。
【０００６】
【発明のが解決しようとする課題】
本発明は上記のような従来の問題点を解決して、足裏に心地よく密着して足をリラックスさせることができる風船状の足載せフォーム体を利用した従来にないユニークな足癒し方法を提供すること、および前記足載せフォーム体を簡単かつ安価に成形することができる足癒し用エアゾールスプレーを提供することを目的して完成されたものである。
【０００７】
【課題を解決するための手段】
上記の課題を解決するためになされた本発明は、エアゾールスプレーで成形した風船状に脹らませたフォーム体上に、該フォーム体の弾力下で足を密着した状態で載せ、フォーム体を形成する樹脂被膜に含まれる噴射剤成分が揮発する際の気化潜熱により足に爽快感を付与することを特徴とする足癒し方法を第１の発明とする。
また、弾力下で足を密着した状態で載せることができる風船状に脹らんだフォーム体を成形するための足癒し用エアゾールスプレーであって、スプレー容器内に主剤として前記フォーム体を形成するための２５〜４５重量％の酢酸ビニル樹脂とジメチルエーテルからなる噴射剤とを含有させたことを特徴とする足癒し用エアゾールスプレーを第２の発明とする。
【０００８】
【発明の実施の形態】
以下に、図面を参照しつつ本発明の好ましい形態を示す。
図１は、本発明により足裏を刺激している状態を示すもので、図中１はエアゾールスプレーで成形した風船状に脹らませた直径が３〜２０ｃｍ程度のフォーム体である。なお、前記フォーム体１は紙や化学繊維製のシート２上に成形することが好ましい。そして本発明では、図１に示されるように、このフォーム体１の弾力下で足を密着した状態で載せ、フォーム体１を形成する樹脂被膜に含まれる噴射剤成分が揮発する際の気化潜熱により足に爽快感を付与することによって足を癒すのである。
【０００９】
前記のような弾力下で足を密着した状態で載せることができる風船状に脹らんだフォーム体１を成形するための足癒し用エアゾールスプレーとして、スプレー容器１０内に酢酸ビニル樹脂と噴射剤を主剤として含有させてある。
前記酢酸ビニル樹脂は、風船状に脹らんだフォーム体１を成形するための樹脂原料であり、その配合量は全内容組成物中の２５〜４５重量％程度とする。２５重量％未満では足を載せるに十分な強度の風船状フォーム体１を成形することが難しく、４５重量より多いと風船状に脹らみにくくなるので、２５〜４５重量％の範囲が好ましい。
【００１０】
噴射剤は前記樹脂成分を発泡させるものであり、ジメチルエーテルを用いる。その他、発泡を強く持続させる目的でプロパンやブタン等の液化ガスを添加することもできる。
但し、一般のエアゾールスプレーに含有される酢酸、ケトン、エステル類、アルコール、芳香族または塩素化炭化水素などの有機溶剤は含有させない。これは、成形した風船状フォーム体１にベタツキ感が生じて取り扱い性が悪くなるのを防ぐためである。
【００１１】
酢酸ビニル樹脂と噴射剤の主剤に加えて、更にメントール、カンフル剤、クーリング剤等の清涼剤を添加することもできる。この場合は、フォーム体１の清涼感が増してより冷却効果が増加し好ましい。
また、スプレー容器１０内にフォーム体１を着色するための着色顔料を添加することもできる。この場合は、着色されたフォーム体１が視覚的におもしろ味を与えるので、よりリラックス効果を発揮することができ好ましい。
また、スプレー容器１０内に消臭機能や水虫死滅機能を発揮する有効成分を１種または２種以上添加することもできる。この場合は、足の臭いを消したり水虫を死滅させて足を清潔に保つことができ好ましい。
【００１２】
以上は足を冷却して爽快感を与える場合について述べたが、スプレー容器１０内にカプサイシンやジンジャローネ等の温感剤を添加しておき、暖かく感じさせることもでき、この場合は冬場における足癒し用製品として利用することもできる。
【００１３】
次に、本発明の使用方法について説明する。
図２に示されるように、スプレー容器１０を適量噴射してシート２上に直径が５ｃｍ程度のプリフォーム体３を成形する。このプリフォーム体３は、噴射剤の作用によって即座に膨張して風船状に膨らんだ１０ｃｍ程度のフォーム体１となる。この状態で、図１に示されるようにフォーム体１上に足を載せれば、フォーム体１を形成する樹脂被膜に含まれる噴射剤成分が揮発する際の気化潜熱により足はヒンヤリさせられるので爽快感が得られることとなる。しかも、フォーム体１は弾力性を有するため足裏の土踏まずや足指の間に隙間を生じることなくピッタリと密着するため、ヒンヤリ感が足の隅々の部分まで行き渡り優れたリラクゼーション効果が得られることとなる。
しかも、フォーム体１上に足を密着した状態で載せた場合、フォーム体１が圧迫されてフォーム体形成成分である噴射剤の一部が、フォーム体内部から外へ向けて押し出されることとなり、この時にフォーム体内部で噴射剤が移動して微妙な動きをしたり、フォーム体１の一部が破裂したりして足裏に刺激を与えるため、心地よいマッサージ効果やリラクゼーション効果が得られることとなる。
【００１４】
また、メントール等の清涼剤を含有させた場合は清涼感はより増大させられるので更に大きなリラクゼーション効果が得られることとなり、消臭機能や水虫死滅機能を発揮する有効成分を１種または２種以上含有させた場合は、足の臭いを消したり水虫を死滅させて足を清潔に保つことができるという効果も奏することとなる。更に、フォーム体１を着色した場合はゴム風船のおもちゃのような感覚で使用することができ、遊び感覚で足のリラクゼーションを行えることとなる。
なお使用後には、図３に示されるように、フォーム体１を強く踏んで押しつぶせば内部のエアが抜けて小さな圧縮体４となるので、そのままゴミとして簡単に排気処分することが可能であり便利である。
【００１５】
【発明の効果】
以上の説明からも明らかなように、本発明は足裏に心地よく密着して足をリラックスさせることができる風船状の足載せフォーム体を利用した従来にないユニークな足癒し方法を提供することができ、また前記足載せフォーム体を簡単かつ安価に成形することができる足癒し用エアゾールスプレーを提供することができるものである。
よって、本発明は従来の問題点を一掃した足癒し方法および足癒し用エアゾールスプレーとして、産業の発展に寄与するところは極めて大である。
【図面の簡単な説明】
【図１】本発明の実施の形態を示す正面図である。
【図２】フォーム体の成形工程を示す説明図である。
【図３】フォーム体を押しつぶした状態を示す正面図である。
【符号の説明】
１  フォーム体
２  シート
３  プリフォーム体
４  圧縮体
１０  スプレー容器
【図１】
2004223066.tif 000003
【図２】
2004223066.tif 000004
【図３】
2004223066.tif 000005